(57)【要約】【課題】置いた場所や、収納した場所を失念した携帯物の所在を容易に知ることができる携帯物所在報知システムを提供する。【解決手段】操作者が操作することにより電波を発信する１乃至複数の発信器２と、携帯物７に着脱自在に、又は、収納、或いは、内蔵して設けられ、前記発信器２の電波を受信手段によって受信した時、報知手段を作動させて携帯物７の所在を知らせる１乃至複数の受信機能付き報知器１１とを備えた携帯物所在報知システムを提供する。【選択図】図１
2007197157.tif 000002
【特許請求の範囲】
【請求項１】
操作者が操作することにより電波を発信する１乃至複数の発信器と、携帯物に着脱自在に、又は、収納、或いは、内蔵して設けられ、前記発信器の電波を受信手段によって受信した時、報知手段を作動させて携帯物の所在を知らせる１乃至複数の受信機能付き報知器とを備えたことを特徴とする携帯物所在報知システム。
【請求項２】
前記発信器は、電源と、電源を断接する電源スイッチと、入力キーと、入力キーの信号に基づき制御を行なうＣＰＵと、電波を送信するための信号を発生する電波送信回路と、電波を発信するアンテナとを備えていることを特徴とする請求項１記載の携帯物所在報知システム。
【請求項３】
前記受信機能付き報知器は、電源と、電源を断接する電源スイッチと、電波を受信するアンテナと、電波を受信して信号を発生する電波受信回路と、電波受信回路からの信号に基づき制御を行なうＣＰＵと、ＣＰＵの制御により報知作動を行なう報知手段とを備えていることを特徴とする請求項１又は２に記載の携帯物所在報知システム。
【請求項４】
前記報知手段は音声報知手段及び／又は光報知手段であることを特徴とする請求項１乃至３のいずれか一に記載の携帯物所在報知システム。
【請求項５】
前記音声報知手段は、前記ＣＰＵに接続された音声メモリーと、ＣＰＵからの音声信号を増幅する音声増幅回路と、スピーカーとを備えていることを特徴とする請求項４に記載の携帯物所在報知システム。
【請求項６】
前記発信器は、複数の入力キーを備え、又は、入力キーの複数の入力方法を備え、複数の入力キー、又は、入力キーの複数の入力方法の信号に基づき異なる電波を発信し、前記受信機能付き報知器は、設定された固有の電波のみを受信して報知するように構成されていることを特徴とする請求項２乃至５のいずれか一に記載の携帯物所在報知システム。
【請求項７】
複数の前記受信機能付き報知器は、夫々固有の報知を行なうことを特徴とする請求項１乃至６のいずれか一に記載の携帯物所在報知システム。
【請求項８】
前記携帯物は、携帯端末、財布、バッグ、鞄、キーホルダー、ミュージックプレーヤー、時計、装飾品、帽子のうちの少なくとも１つであることを特徴とする請求項１乃至７のいずれか一に記載の携帯物所在報知システム。
【発明の詳細な説明】
【技術分野】
【０００１】
本発明は、操作者が操作する発信器と、携帯物に着脱自在に、又は、収納、或いは、内蔵して設けられる受信機能付き報知器とによって携帯物の所在を知らせる携帯物所在報知システムに関する。
【背景技術】
【０００２】
携帯端末、財布、バッグ、鞄、キーホルダー、ミュージックプレーヤー、時計、装飾品、帽子等の携帯物は、置いた場所や、収納した場所を失念したりする虞があった。
特に、小さいものは、探し出しにくく、探す手間もかかるという問題がある。
そこで、置いた場所や、収納した場所を失念した携帯物の所在を容易に知ることができることが望まれている。
【０００３】
特許文献１には、物品の探索を行なう物品管理システムが記載されている。この物品管理システムは、物品管理コントローラが、探索対象の物品に貼着された物品管理シールから電波信号を受信し、その受信結果に基づいて物品までの距離をデジタル表示し、物品が存在する方向をグラフィック表示するものである。
【特許文献１】特開２００２−３３８０１３号公報
【発明の開示】
【発明が解決しようとする課題】
【０００４】
前述したように、置いた場所や、収納した場所を失念した携帯物の所在を容易に知ることができることが望まれているが、この要望を容易に満たすシステムは未だ知られていない。
【０００５】
特許文献１は、物品の探索が可能であるが、物品管理コントローラ等の比較的大型な装置を必要とし、一般の人が、日常の生活の中で携帯する携帯物等を容易に発見するためには、実用的ではない。
【０００６】
以上の現状に鑑み、本発明の目的は、置いた場所や、収納した場所を失念した携帯物の所在を容易に知ることができる携帯物所在報知システムを提供する。
【課題を解決するための手段】
【０００７】
上記の課題を解決すべく、本発明は以下の構成を提供する。
請求項１に係る発明は、操作者が操作することにより電波を発信する１乃至複数の発信器と、携帯物に着脱自在に、又は、収納、或いは、内蔵して設けられ、前記発信器の電波を受信手段によって受信した時、報知手段を作動させて携帯物の所在を知らせる１乃至複数の受信機能付き報知器とを備えたことを特徴とする携帯物所在報知システムを提供するものである。
【０００８】
請求項２に係る発明は、前記発信器は、電源と、電源を断接する電源スイッチと、入力キーと、入力キーの信号に基づき制御を行なうＣＰＵと、電波を送信するための信号を発生する電波送信回路と、電波を発信するアンテナとを備えていることを特徴とする請求項１記載の携帯物所在報知システムを提供するものである。
【０００９】
請求項３に係る発明は、前記受信機能付き報知器は、電源と、電源を断接する電源スイッチと、電波を受信するアンテナと、電波を受信して信号を発生する電波受信回路と、電波受信回路からの信号に基づき制御を行なうＣＰＵと、ＣＰＵの制御により報知作動を行なう報知手段とを備えていることを特徴とする請求項１又は２に記載の携帯物所在報知システムを提供するものである。
【００１０】
請求項４に係る発明は、前記報知手段は音声報知手段及び／又は光報知手段であることを特徴とする請求項１乃至３のいずれか一に記載の携帯物所在報知システムを提供するものである。
【００１１】
請求項５に係る発明は、前記音声報知手段は、前記ＣＰＵに接続された音声メモリーと、ＣＰＵからの音声信号を増幅する音声増幅回路と、スピーカーとを備えていることを特徴とする請求項４に記載の携帯物所在報知システムを提供するものである。
【００１２】
請求項６に係る発明は、前記発信器は、複数の入力キーを備え、又は、入力キーの複数の入力方法を備え、複数の入力キー、又は、入力キーの複数の入力方法の信号に基づき異なる電波を発信し、前記受信機能付き報知器は、設定された固有の電波のみを受信して報知するように構成されていることを特徴とする請求項２乃至５のいずれか一に記載の携帯物所在報知システムを提供するものである。
【００１３】
請求項７に係る発明は、複数の前記受信機能付き報知器は、夫々固有の報知を行なうことを特徴とする請求項１乃至６のいずれか一に記載の携帯物所在報知システムを提供するものである。
【００１４】
請求項８に係る発明は、前記携帯物は、携帯端末、財布、バッグ、鞄、キーホルダー、ミュージックプレーヤー、時計、装飾品、帽子のうちの少なくとも１つであることを特徴とする請求項１乃至７のいずれか一に記載の携帯物所在報知システムを提供するものである。
【発明の効果】
【００１５】
本発明の請求項１記載の発明によれば、操作者が操作することにより電波を発信する１乃至複数の発信器と、携帯物に着脱自在に、又は、収納、或いは、内蔵して設けられ、前記発信器の電波を受信手段によって受信した時、報知手段を作動させて携帯物の所在を知らせる１乃至複数の受信機能付き報知器とを備えた携帯物所在報知システムを提供するので、置いた場所や、収納した場所を失念した携帯物の所在を容易に知ることができる携帯物所在報知システムを提供できる。
【００１６】
請求項２記載の発明によれば、前記発信器は、電源と、電源を断接する電源スイッチと、入力キーと、入力キーの信号に基づき制御を行なうＣＰＵと、電波を送信するための信号を発生する電波送信回路と、電波を発信するアンテナとを備えているので、請求項１記載の発明の効果に加え、発信器によって、携帯物に対し発信することができる。
【００１７】
請求項３記載の発明によれば、前記受信機能付き報知器は、電源と、電源を断接する電源スイッチと、電波を受信するアンテナと、電波を受信して信号を発生する電波受信回路と、電波受信回路からの信号に基づき制御を行なうＣＰＵと、ＣＰＵの制御により報知作動を行なう報知手段とを備えているので、請求項１又は２に記載の発明の効果に加え、受信機能付き報知器によって発信器からの電波を受信することができると共に、受信した時に報知作動を行うことができる。
【００１８】
請求項４記載の発明によれば、前記報知手段は音声報知手段及び／又は光報知手段であるので、請求項１乃至３のいずれか一に記載の発明の効果に加え、前記音声発生器及び／又は発光器によって、音声報知及び／又は発光報知を行うことができる。
【００１９】
請求項５記載の発明によれば、前記音声報知手段は、前記ＣＰＵに接続された音声メモリーと、ＣＰＵからの音声信号を増幅する音声増幅回路と、スピーカーとを備えているので、請求項４に記載の発明の効果に加え、スピーカーによって比較的大なる音声による報知が可能であり、音声メモリーに格納する音声データを選択することにより報知音を好みの音に設定することができる。
【００２０】
請求項６記載の発明によれば、前記発信器は、複数の入力キーを備え、又は、入力キーの複数の入力方法を備え、複数の入力キー、又は、入力キーの複数の入力方法の信号に基づき異なる電波を発信し、前記受信機能付き報知器は、設定された固有の電波のみを受信して報知するように構成されているので、請求項２乃至５のいずれか一に記載の発明の効果に加え、複数の入力キー、又は、入力キーの複数の入力方法によって、異なる電波を発信し、特定の携帯物を報知させることができる。
【００２１】
請求項７記載の発明によれば、複数の前記受信機能付き報知器は、夫々固有の報知を行なうので、請求項１乃至６のいずれか一に記載の発明の効果に加え、固有の報知を行なわせることにより携帯物を特定することができる。
【００２２】
請求項８記載の発明によれば、前記携帯物は、携帯端末、財布、バッグ、鞄、キーホルダー、ミュージックプレーヤー、時計、装飾品、帽子のうちの少なくとも１つであるので、請求項１乃至７のいずれか一に記載の発明の効果に加え、それらの所在を発見することができる。
【発明を実施するための最良の形態】
【００２３】
以下、実施例を示した図面を参照しつつ本発明の実施の形態を説明する。
図１及び図２に於いて、１は、本発明の携帯物所在報知システムを示し、携帯物所在報知システム１は、操作者が操作することにより電波を発信する１乃至複数の発信器２と、携帯端末３Ａ，３Ｂ、財布４、バッグ５、キーホルダー６、図示しない鞄、ミュージックプレーヤー、時計、装飾品、帽子等の携帯物７にストラップ、鎖、又は紐８等により着脱自在に、又は、収納、内蔵、或いは、固着して設けられ、前記発信器２の電波を受信手段９によって受信した時、報知手段１０を作動させて携帯物７の所在を知らせる１乃至複数の受信機能付き報知器１１とを備えている。
【００２４】
尚、図１に於いて、前記発信器２、図２に於いて、発信器２、受信機能付き報知器１１は図面の都合上、１個が表示されているが、１乃至複数個で構成することができる。
【００２５】
図１に於いて、１１ａは内蔵された受信機能付き報知器を示しており、この内蔵された受信機能付き報知器１１ａは、予め、携帯端末３Ｂ内に組み込まれて内蔵されており、受信機能付き報知器１１ａを構成する各構成要素は、適宜、携帯端末１２が持っている各機能と共有する構成としても良い。
【００２６】
前記発信器２は、電源２１と、電源２１を断接する電源スイッチ２２と、押しボタン等からなる入力キー２３と、入力キー２３の信号に基づき制御を行なうＣＰＵ（中央演算装置）２４と、電波を送信するための信号を発生する電波送信回路２５と、電波を発信するアンテナ２６とを備えている。
【００２７】
又、前記受信機能付き報知器１１は、電源３１と、電源３１を断接する電源スイッチ３２と、電波を受信するアンテナ３３と、電波を受信して信号を発生する電波受信回路３４と、電波受信回路３４からの信号に基づき制御を行なうＣＰＵ３５と、ＣＰＵ３５の制御により報知作動を行なう報知手段１０とを備えている。
【００２８】
前記報知手段１０は音声報知手段３６であり、音声報知手段３６は、ＣＰＵ３５に接続され、音声データを格納する音声メモリー３７と、ＣＰＵ３５からの音声信号を増幅する音声増幅回路３８と、スピーカー３９とを備えている。
【００２９】
而して、例えば、前記携帯端末３Ａに取付けた前記受信機能付き報知器１１と、前記発信器２との間に構成される前記携帯物所在報知システム１の作動を説明する。
【００３０】
予め、前記受信機能付き報知器１１の電源スイッチ３２をＯＮにしておく。
そして、前記携帯端末３Ａの置いた場所や、収納した場所を失念した時、発信器２の電源スイッチ２２をＯＮにして、入力キー２３を押すと、入力キー２３の信号に基づき、ＣＰＵ２４は電波送信回路２５を制御して電波信号を発生させ、電波信号はアンテナ２６から電波として発信される。
【００３１】
発信器２から発信された電波は、携帯端末３Ａの受信機能付き報知器１１のアンテナ３３に受信され、電波受信回路３４によって電波に基づく信号が発生し、その信号はＣＰＵ３５に送信される。
【００３２】
信号を受信するとＣＰＵ３５は、音声メモリ３７から音声データを取り出し、音声データを音声増幅回路３８に送信し、音声増幅回路３８は音声信号を増幅してスピーカー３９に送り、スピーカー３９は音声データの音声を鳴動させ、携帯端末３Ａの所在を報知する。
【００３３】
斯くして、前記携帯物所在報知システム１は、置いた場所や、収納した場所を失念した携帯端末３Ａ等の携帯物７の所在を音声によって知らせることができる。又、前記音声メモリー３７に音声データを選択して格納することにより、報知音を好みに設定することができる。
【００３４】
尚、前述の説明に於ては、前記携帯端末３Ａに取付けた前記受信機能付き報知器１１について説明したが、他の携帯物７、例えば、携帯端末３Ｂ、財布４、バッグ５、キーホルダー６に取り付けた受信機能付き報知器１１についても同様の作用が期待でき、それらの所在を容易に知らせることができる。
又、前記、音声報知手段３６として、簡素なブザーを用いても良い。
【００３５】
尚、１乃至複数の前記発信器２と１乃至複数の受信機能付き報知器１１から成る１つのグループが同じ電波の周波数を用いる場合、グループ内の１乃至複数の前記発信器２によって１乃至複数の受信機能付き報知器１１を作動させることが可能であり、複数のグループが夫々異なる電波の周波数を用いる場合、グループ毎に、グループ内で１乃至複数の前記発信器２によって１乃至複数の受信機能付き報知器１１を作動させることが可能になり、他グループの受信機能付き報知器１１を作動させない。
【００３６】
図３及び図４に於いて、４１は他の実施例の携帯物所在報知システムを示し、携帯物所在報知システム４１は、前記発信器（図１に於いて２）に代えて、異なる固有の電波周波数の電波を夫々発信させるための２個の入力キー２３Ａ，２３Ｂを有する発信器４２を設け、前記受信機能付き報知器（図２に於いて１１）に代えて、前記ＣＰＵ３５に、更に、光報知手段４３である発光器４４を接続すると共に、受信手段９が設定された固有の電波のみを受信する受信機能付き検知器４５を設けたものである。
【００３７】
而して、例えば、前記携帯端末３Ａに取付けた前記受信機能付き報知器４５と、前記発信器４２との間に於いて、固有の電波周波数を送受信自在に構成される前記携帯物所在報知システム４１の作動を説明する。
【００３８】
予め、前記受信機能付き報知器４５の電源スイッチ３２をＯＮにしておく。
そして、前記携帯端末３Ａの置いた場所や、収納した場所を失念した時、発信器４２の電源スイッチ２２をＯＮにして、例えば、入力キー２３Ａを押すと、入力キー２３Ａの信号に基づき、ＣＰＵ２４は電波送信回路２５を制御して固有の電波信号を発生させ、電波信号はアンテナ２６から電波として発信される。
【００３９】
発信器４２から発信された電波は、設定された固有の電波のみを受信する受信手段９を備えた携帯端末３Ａの受信機能付き報知器４５のアンテナ３３に受信され、電波受信回路３４によって電波による信号を発生し、その信号はＣＰＵ３５に送信される。
【００４０】
ＣＰＵ３５は、信号を受信すると音声メモリ３７から音声データを取り出し、音声データを音声増幅回路３８に送信し、音声増幅回路３８は音声信号を増幅してスピーカー３９に送り、スピーカー３９は音声データの音声を鳴動させ、携帯端末３Ａの所在を報知する。更に、ＣＰＵ３５は、前述の電波受信回路３４からの信号を受信した時、発光器４４にも制御信号を送り、制御信号を受信した発光器４４は発光して携帯端末３Ａの所在を報知する。
【００４１】
次に、例えば、前記財布４に取付けた受信機能付き報知器４５と、発信器４２との間に於いて、固有の電波周波数を送受信自在に構成される携帯物所在報知システム４１の作動を説明する。
【００４２】
予め、前記受信機能付き報知器４５の電源スイッチ３２をＯＮにしておく。
そして、前記財布４の置いた場所や、収納した場所を失念した時、発信器４２の電源スイッチ２２をＯＮにして、例えば、入力キー２３Ｂを押すと、入力キー２３Ｂの信号に基づき、ＣＰＵ２４は電波送信回路２５を制御して前記入力キー２３Ａを押した時と異なる固有の電波信号を発生させ、この電波信号によってアンテナ２６から固有の周波数の電波が発信される。
【００４３】
発信器４２から発信された電波は、設定された固有の電波のみを受信する受信手段９を備えた財布４の受信機能付き報知器４５のアンテナ３３に受信され、電波受信回路３４によって電波による信号を発生し、その信号はＣＰＵ３５に送信される。
【００４４】
ＣＰＵ３５は、信号を受信すると音声メモリ３７から音声データを取り出し、音声データを音声増幅回路３８に送信し、音声増幅回路３８は音声信号を増幅してスピーカー３９に送り、スピーカー３９は音声データの音声を鳴動させ、財布４の所在を報知する。更に、ＣＰＵ３５は、前述の電波受信回路３４からの信号を受信した時、発光器４４にも制御信号を送り、制御信号を受信した発光器４４は発光して財布４の所在を報知する。
【００４５】
斯くして、前記携帯物所在報知システム４１は、置いた場所や、収納した場所を失念した携帯端末３Ａや、財布４の所在を音声及び発光によって知らせることができる。又、前記携帯物所在報知システム４１は、音声及び発光によって携帯物７の所在を知らせるので、発見が早くなる。
尚、前記携帯物所在報知システム４１に於いて、音声報知手段３６又は光報知手段４３のいずれかのみを作動させるように変更することも可能であり、或いは、光報知手段４３のみを受信機能付き報知器４５に設けるように変更することも可能である。
【００４６】
又、２つの入力キー２３Ａ，２３Ｂを選択して押すことにより、入力キー２３Ａ，２３Ｂに対応した携帯物７を選択的に報知させることができる。
【００４７】
更に、前記入力キー２３Ａ，２３Ｂの数を増やせば、更に、多くの種類の携帯物７、例えば、携帯端末３Ｂ、バッグ５、キーホルダー６を選択して報知させることができる。又、前記入力キー２３Ａ，２３Ｂの数を増やす代わりに、入力キーの複数の入力方法を備え、例えば、２回押す２度押し、３回押す３度押し、或いは、長く押し続ける長押し等によって多くの種類の携帯物７を区別して報知させることも可能である。
【００４８】
更に又、前記音声メモリ３７に複数種類の音声データを格納させ、或いは、音声メモリ３７別に異なった音声データを格納し、携帯物７毎に異なる音声を報知させることも可能である。
【００４９】
同様に、発光器４４を携帯物７毎に異なる光で発光させることも可能である。
或いは、前記音声報知手段３６、光報知手段４３の作動時間を携帯物７毎に異ならせて、携帯物７の種類を区別できるようにすることも可能であり、或いは、前記音声報知手段３６、光報知手段４３の作動を断続的に行わせ、その断続回数、断続方法、或いは、断続時間を携帯物７毎に異ならせて携帯物７の種類を区別できるようにすることも可能である。
【図面の簡単な説明】
【００５０】
【図１】本発明の第１実施例の携帯物所在報知システムを概略的に示す説明図である。
【図２】本発明の第１実施例の携帯物所在報知システムの機器の詳細を概略的に示す説明図である。
【図３】本発明の第２実施例の携帯物所在報知システムを概略的に示す説明図である。
【図４】本発明の第２実施例の携帯物所在報知システムの機器の詳細を概略的に示す説明図である。
【符号の説明】
【００５１】
１，４１  携帯物所在報知システム
２，４２  発信器
３Ａ，３Ｂ  携帯端末
４  財布
５  バッグ
６  キーホルダー
７  携帯物
９  受信器
１０  報知手段
１１，４５  受信機能付き報知器
２１，３１  電源
２２，３２  電源スイッチ
２３，２３Ａ，２３Ｂ  入力キー
２４，３５  ＣＰＵ
２５  電波送信回路
２６，３３  アンテナ
３４  電波受信回路
３６  音声報知手段
３７  音声メモリー
３８  音声増幅回路
３９  スピーカー
４３  光報知手段
【図１】
2007197157.tif 000003
【図２】
2007197157.tif 000004
【図３】
2007197157.tif 000005
【図４】
2007197157.tif 000006